(57)【特許請求の範囲】
【請求項１】
電力の使用時間帯に応じた単位使用料金が規定された電力料金プランのうち、各電力需要家が電力事業者と契約した契約中電力料金プランの情報と、所定組織にとって好ましい使用電力量を時間帯別に規定した時間帯別電力使用基準値とを格納した記憶装置と、
各電力需要家の施設に備わる電力量計を少なくとも含む外部装置と通信する通信装置と、
前記時間帯別電力使用基準値が規定する各時間帯について、該当時間帯の単位使用料金に所定特徴を有する電力料金プランで契約を行っている所定数の電力需要家を、前記契約中電力料金プランの情報に基づいて特定して、前記各時間帯について特定した所定数の電力需要家の情報を纏めたバスケットを生成して記憶装置に格納する第１処理と、
前記第１処理の後、前記バスケットが含む各電力需要家における使用電力量の値を、前記電力量計から取得して記憶装置に格納すると共に、前記時間帯別電力使用基準値が規定する時間帯毎に集計して、当該集計値と前記時間帯別電力使用基準値との差異を算定し、当該差異が所定基準以上である場合、当該差異を解消すべく、該当時間帯の単位使用料金に所定特徴を有する電力料金プランで契約を行っている新たな電力需要家を、前記契約中電力料金プランの情報に基づいて特定して前記バスケットに加えるか、または、該当時間帯に関して格納されている所定数の電力需要家を前記バスケットから除外する第２処理と、
前記第２処理の後、前記バスケットが含む各電力需要家における使用電力量の値を、前記電力量計から取得して記憶装置に格納すると共に、前記時間帯別電力使用基準値が規定する時間帯毎に集計して、当該集計値と前記時間帯別電力使用基準値との差異を算定し、当該差異が所定基準以上である場合、前記差異への関与度を前記バスケットにおける電力需要家毎に算定し、算定した関与度に応じた、時間帯別の使用電力量の変更を勧める誘導通知を該当電力需要家の端末に送信する第３処理を実行する演算装置と、
を備えることを特徴とする電力使用最適化支援システム。
【請求項２】
前記演算装置は、
前記第１処理において、前記時間帯別電力使用基準値が規定する各時間帯について、該当時間帯の単位使用料金が他時間帯と比較して最低との特徴を有する電力料金プランで契約を行っている所定数の電力需要家を、前記契約中電力料金プランの情報に基づいて特定して、前記各時間帯について特定した所定数の電力需要家の情報を纏めたバスケットを生成して記憶装置に格納するものである、
ことを特徴とする請求項１に記載の電力使用最適化支援システム。
【請求項３】
前記時間帯別電力使用基準値は、前記バスケットにおける時間帯別の使用電力量が、当該時間帯別電力使用基準値を満たす場合に、所定組織より該当バスケットの電力需要家に対してインセンティブが付与される基準を示す値であり、
前記記憶装置は、
前記インセンティブの情報を更に保持しており、
前記演算装置は、
前記誘導通知に対応して該当電力需要家が時間帯別の使用電力量の変更を行った場合に獲得できるインセンティブの情報を、前記記憶装置から読み出して前記誘導通知に含めて該当電力需要家の端末に送信するものである、
ことを特徴とする請求項２に記載の電力使用最適化支援システム。
【請求項４】
前記演算装置は、
前記誘導通知を送信して所定時間経過後、該当バスケットが含む各電力需要家における使用電力量の値を時間帯毎に集計し、当該集計値と前記時間帯別電力使用基準値との差異を算定することで、前記時間帯別電力使用基準値の達成度を判定し、当該判定結果をインセンティブ付与理由の証明情報として前記所定組織の端末に通知する処理と、
前記証明情報を踏まえたインセンティブデータを前記所定組織の端末から受けて、前記誘導通知に対応して時間帯別の使用電力量の変更動作を行った電力需要家の端末に対し、インセンティブデータを配信する処理と、
を更に実行するものである、
ことを特徴とする請求項３に記載の電力使用最適化支援システム。
【請求項５】
前記記憶装置は、
電力の使用時間帯に応じた単位使用料金が規定された電力料金プランのリストを更に保持しており、
前記演算装置は、前記第１処理に先立ち、
各電力需要家における時間帯毎の使用電力量の値を前記電力量計から取得して記憶装置に格納すると共に、当該取得した時間帯毎の使用電力量の値を、前記記憶装置が保持する各電力料金プランに照合して、料金最低となる電力料金プランを特定し、
前記特定した電力料金プランと、前記記憶装置が保持する該当電力需要家における契約中電力料金プランとが異なる場合、前記特定した電力料金プランへの契約変更を促す通知を電力需要家の端末に送信すると共に、電力事業者ないし該当電力需要家の端末より電力料金プランの更新通知を受けて、該当更新通知に応じて記憶装置における該当電力需要家における契約中電力料金プランの情報を更新するものである、
ことを特徴とする請求項４に記載の電力使用最適化支援システム。
【請求項６】
前記演算装置は、
前記誘導通知の送信後に、該当電力需要家における時間帯毎の使用電力量の値を前記電力量計から取得して、該当時間帯における過去の使用電力量との比較から、使用電力量の変更有無を判定し、前記誘導通知に応じた時間帯別の使用電力量の変更を行った電力需要家の履歴を記憶装置に格納する処理を更に実行し、
前記誘導通知の送信に際し、前記記憶装置に格納されている前記履歴を基づいて、誘導通知に応じて使用電力量変更動作を行った頻度の高い順に所定数の電力需要家を特定し、該当電力需要家の端末に対して誘導通知を送信するものである、
ことを特徴とする請求項１〜５のいずれかに記載の電力使用最適化支援システム。
【請求項７】
前記演算装置は、
前記第３処理の後、前記バスケットが含む各電力需要家における使用電力量の値を、前記電力量計から取得して記憶装置に格納すると共に、前記時間帯別電力使用基準値が規定する時間帯毎に集計して、当該集計値と前記時間帯別電力使用基準値との差異を算定し、当該差異の大きさに応じて、前記第１処理、前記第２処理、および前記第３処理のいずれかから処理を再実行するものである、
ことを特徴とする請求項１〜６のいずれかに記載の電力使用最適化支援システム。
【請求項８】
前記演算装置は、
前記第１処理において、 時間帯別電力使用基準値が規定する各時間帯について、前記特定した電力需要家の電力料金プランを適用した仮想料金プランの情報を生成して記憶装置に格納すると共に、当該仮想料金プランの情報を、該当バスケットに含まれる各電力需要家の端末に送信する処理を更に実行するものである、
ことを特徴とする請求項２〜７のいずれかに記載の電力使用最適化支援システム。
【請求項９】
前記記憶装置は、
各需要家におけるメンバー構成に関する特徴を格納した需要家情報と、季節と需要家属性との対応関係に応じた、前記仮想料金プランにおける所定時間帯の開始ないし終了の時刻の調整幅を規定した季節調整情報と、を更に保持しており、
前記演算装置は、
前記第１処理において、時間帯別電力使用基準値が規定する各時間帯について、前記特定した電力需要家の電力料金プランを適用した仮想料金プランの情報を生成するに際し、該当バスケットに含まれる各電力需要家の特徴を前記需要家情報から特定し、当該需要家情報と現季節とを前記季節調整情報に照合して、仮想料金プランにおける所定時間帯の開始ないし終了の時刻の調整幅を特定し、当該調整幅に基づいて、仮想料金プランにおける所定時間帯の開始ないし終了の時刻を調整する処理を更に実行するものである、
ことを特徴とする請求項８に記載の電力使用最適化支援システム。
【請求項１０】
電力の使用時間帯に応じた単位使用料金が規定された電力料金プランのうち、各電力需要家が電力事業者と契約した契約中電力料金プランの情報と、所定組織にとって好ましい使用電力量を時間帯別に規定した時間帯別電力使用基準値とを格納した記憶装置と、各電力需要家の施設に備わる電力量計を少なくとも含む外部装置と通信する通信装置とを備える情報処理装置が、
前記時間帯別電力使用基準値が規定する各時間帯について、該当時間帯の単位使用料金に所定特徴を有する電力料金プランで契約を行っている所定数の電力需要家を、前記契約中電力料金プランの情報に基づいて特定して、前記各時間帯について特定した所定数の電力需要家の情報を纏めたバスケットを生成して記憶装置に格納する第１処理と、
前記第１処理の後、前記バスケットが含む各電力需要家における使用電力量の値を、前記電力量計から取得して記憶装置に格納すると共に、前記時間帯別電力使用基準値が規定する時間帯毎に集計して、当該集計値と前記時間帯別電力使用基準値との差異を算定し、当該差異が所定基準以上である場合、当該差異を解消すべく、該当時間帯の単位使用料金に所定特徴を有する電力料金プランで契約を行っている新たな電力需要家を、前記契約中電力料金プランの情報に基づいて特定して前記バスケットに加えるか、または、該当時間帯に関して格納されている所定数の電力需要家を前記バスケットから除外する第２処理と、
前記第２処理の後、前記バスケットが含む各電力需要家における使用電力量の値を、前記電力量計から取得して記憶装置に格納すると共に、前記時間帯別電力使用基準値が規定する時間帯毎に集計して、当該集計値と前記時間帯別電力使用基準値との差異を算定し、当該差異が所定基準以上である場合、前記差異への関与度を前記バスケットにおける電力需要家毎に算定し、算定した関与度に応じた、時間帯別の使用電力量の変更を勧める誘導通知を該当電力需要家の端末に送信する第３処理と、
を実行することを特徴とする電力使用最適化支援方法。
【発明の詳細な説明】
【技術分野】
【０００１】
本発明は、電力使用最適化支援システムおよび電力使用最適化支援方法に関する。
【背景技術】
【０００２】
昨今の環境意識の高まりや、恒常的な資源コスト高などに伴い、電力事業者において発電形態の最適化を図ろうとする動きが加速している。そうした中、いわゆるデマンドレスポンスは、需要家自らに需要抑制を促して、電力消費のピークカットや平準化を図る手法として注目されている。そこで、こうしたデマンドレスポンスに関する技術として、以下の技術が提案されている。
【０００３】
すなわち、短期間での電力負荷変動に容易に対応して確実に電力負荷の平準化が得られることを目的として、電力需給バランスが想定を超えた電力逼迫時には、契約電力に対して消費電力をスポット的に抑制する動機付けとして、電力料金の割引やその他特典を電力需要家に提供する電力負荷平準化方法（特許文献１参照）などが提案されている。また、分散型エネルギーコミュニティーにおいて、エネルギー供給コストの最小化を目的として、各需要者宅に設置された各負荷装置の、少なくとも単位時間当たりのエネルギー消費量の情報を蓄積する負荷情報データベースと、各需要者宅の負荷装置の運転状態を監視し、負荷データベースに蓄積された情報を基に、各需要者宅の負荷装置の時間帯別の実績エネルギー消費量の積算量と、各需要者宅の負荷装置によるエネルギー消費量を時間帯別に予測する需要予測装置で予測された予測エネルギー消費量の積算量の誤差が小さくなるように負荷装置を遠隔制御する制御手段とを有するエネルギー需要管理装置（特許文献２参照）なども提案されている。
【先行技術文献】
【特許文献】
【０００４】
【特許文献１】特開２００５−１０７９０１号公報
【特許文献２】特開２００７−１２９８７３号公報
【発明の概要】
【発明が解決しようとする課題】
【０００５】
ところが、デマンドレスポンスの考え方に応じて、例えば使用電力ピーク時に各需要家に使用電力量を抑制してもらうべく、需要予測と実際使用電力量との差異に基づくインセンティブの付与等を行うとしても、そもそも高精度の需要予測手法が確立されていないこともあって、効果の望みにくいインセンティブ付与を徒に繰り返す懸念もあり、精度良く効率的な使用電力量抑制を図ることが難しいという課題があった。電力事業者が需要家らに対して望む使用電力量の特性は、全時間帯に亘って平準化している場合のみならず、時期や時間帯、エリア等に応じて様々に異なるため、実際のところ上述の課題は更に複雑なものとなっている。
【０００６】
従って、そうした精度の期待しにくい電力使用形態に対応する電力事業者は、自身の望む最適な発電形態を達成しづらく、発電コスト低減を図ることも困難となる。一方、需要家にとっても、電力料金低減に効果的なインセンティブを獲得する機会が少なくなるか、或いは、デマンドレスポンスに応えきれないことによる電力事業者での発電コスト上昇に伴い、電力料金割引を受ける機会自体が減少するといった事態となる。
【０００７】
そこで本発明の目的は、様々な形態が想定される好適な電力使用形態を精度良く効率的に達成し、発電コストや電力料金の低減を可能とする技術を提供することにある。
【課題を解決するための手段】
【０００８】
上記課題を解決する本発明の電力使用最適化支援システムは、電力の使用時間帯に応じた単位使用料金が規定された電力料金プランのうち、各電力需要家が電力事業者と契約した契約中電力料金プランの情報と、所定組織にとって好ましい使用電力量を時間帯別に規定した時間帯別電力使用基準値とを格納した記憶装置と、各電力需要家の施設に備わる電力量計を少なくとも含む外部装置と通信する通信装置と、前記時間帯別電力使用基準値が規定する各時間帯について、該当時間帯の単位使用料金に所定特徴を有する電力料金プランで契約を行っている所定数の電力需要家を、前記契約中電力料金プランの情報に基づいて特定して、前記各時間帯について特定した所定数の電力需要家の情報を纏めたバスケットを生成して記憶装置に格納する第１処理と、前記第１処理の後、前記バスケットが含む各電力需要家における使用電力量の値を、前記電力量計から取得して記憶装置に格納すると共に、前記時間帯別電力使用基準値が規定する時間帯毎に集計して、当該集計値と前記時間帯別電力使用基準値との差異を算定し、当該差異が所定基準以上である場合、当該差異を解消すべく、該当時間帯の単位使用料金に所定特徴を有する電力料金プランで契約を行っている新たな電力需要家を、前記契約中電力料金プランの情報に基づいて特定して前記バスケットに加えるか、または、該当時間帯に関して格納されている所定数の電力需要家を前記バスケットから除外する第２処理と、前記第２処理の後、前記バスケットが含む各電力需要家における使用電力量の値を、前記電力量計から取得して記憶装置に格納すると共に、前記時間帯別電力使用基準値が規定する時間帯毎に集計して、当該集計値と前記時間帯別電力使用基準値との差異を算定し、当該差異が所定基準以上である場合、前記差異への関与度を前記バスケットにおける電力需要家毎に算定し、算定した関与度に応じた、時間帯別の使用電力量の変更を勧める誘導通知を該当電力需要家の端末に送信する第３処理を実行する演算装置と、を備えることを特徴とする。
【０００９】
また、本発明の電力使用最適化支援方法は、電力の使用時間帯に応じた単位使用料金が規定された電力料金プランのうち、各電力需要家が電力事業者と契約した契約中電力料金プランの情報と、所定組織にとって好ましい使用電力量を時間帯別に規定した時間帯別電力使用基準値とを格納した記憶装置と、各電力需要家の施設に備わる電力量計を少なくとも含む外部装置と通信する通信装置とを備える情報処理装置が、前記時間帯別電力使用基準値が規定する各時間帯について、該当時間帯の単位使用料金に所定特徴を有する電力料金プランで契約を行っている所定数の電力需要家を、前記契約中電力料金プランの情報に基づいて特定して、前記各時間帯について特定した所定数の電力需要家の情報を纏めたバスケットを生成して記憶装置に格納する第１処理と、前記第１処理の後、前記バスケットが含む各電力需要家における使用電力量の値を、前記電力量計から取得して記憶装置に格納すると共に、前記時間帯別電力使用基準値が規定する時間帯毎に集計して、当該集計値と前記時間帯別電力使用基準値との差異を算定し、当該差異が所定基準以上である場合、当該差異を解消すべく、該当時間帯の単位使用料金に所定特徴を有する電力料金プランで契約を行っている新たな電力需要家を、前記契約中電力料金プランの情報に基づいて特定して前記バスケットに加えるか、または、該当時間帯に関して格納されている所定数の電力需要家を前記バスケットから除外する第２処理と、前記第２処理の後、前記バスケットが含む各電力需要家における使用電力量の値を、前記電力量計から取得して記憶装置に格納すると共に、前記時間帯別電力使用基準値が規定する時間帯毎に集計して、当該集計値と前記時間帯別電力使用基準値との差異を算定し、当該差異が所定基準以上である場合、前記差異への関与度を前記バスケットにおける電力需要家毎に算定し、算定した関与度に応じた、時間帯別の使用電力量の変更を勧める誘導通知を該当電力需要家の端末に送信する第３処理と、を実行することを特徴とする。
【発明の効果】
【００１０】
本発明によれば、様々な形態が想定される好適な電力使用形態を精度良く効率的に達成し、発電コストや電力料金の低減が可能となる。
【図面の簡単な説明】
【００１１】
【図１】本実施形態の電力使用最適化支援システムを含むネットワーク構成図である。
【図２】本実施形態の電力使用最適化支援システムのハードウェア構成例を示す図である。
【図３】本実施形態における需要家端末のハードウェア構成例を示す図である。
【図４】本実施形態における電力事業者端末のハードウェア構成例を示す図である。
【図５】本実施形態における料金プランデータベースのデータ構成例を示す図である。
【図６】本実施形態における契約情報データベースのデータ構成例を示す図である。
【図７】本実施形態における使用履歴データベースのデータ構成例を示す図である。
【図８】本実施形態におけるインセンティブデータベースのデータ構成例を示す図である。
【図９】本実施形態における対応履歴データベースのデータ構成例を示す図である。
【図１０】本実施形態におけるバスケットデータベースのデータ構成例を示す図である。
【図１１】本実施形態における電力使用最適化支援方法のメインフロー例を示す図である。
【図１２】本実施形態における電力使用最適化支援方法の処理手順例１を示すフロー図である。
【図１３】本実施形態における電力使用最適化支援方法の処理手順例２を示すフロー図である。
【図１４】本実施形態における電力使用最適化支援方法の処理手順例３を示すフロー図である。
【図１５】本実施形態における電力使用最適化支援方法の処理手順例４を示すフロー図である。
【図１６】他の実施形態の電力使用最適化支援システムのハードウェア構成例を示す図である。
【図１７】他の実施形態における仮想料金プランデータベースのデータ構成例を示す図である。
【図１８】他の実施形態における需要家情報データベースのデータ構成例を示す図である。
【図１９】他の実施形態における季節調整情報データベースのデータ構成例を示す図である。
【図２０】他の実施形態における電力使用最適化支援方法の処理手順例を示すフロー図である。
【図２１】他の実施形態における画面例を示す図である。
【発明を実施するための形態】
【００１２】
−−−システム構成−−−
以下に本発明の実施形態について図面を用いて詳細に説明する。図１は本実施形態の電力使用最適化支援システム１００を含むネットワーク構成例を示す図である。図１に示す電力使用最適化支援システム１００は、様々な形態が想定される好適な電力使用形態を精度良く効率的に達成し、発電コストや電力料金の低減を可能とするためのコンピュータシステムである。本実施形態では、電力使用最適化支援対象の電力需要家として一般家庭の各世帯を想定する。また、以降は電力需要家を需要家と称する。
【００１３】
この場合の各世帯の需要家施設１０すなわち住居は、電力事業者が提供する系統電源１から分電盤１１にて給電を受け、この分電盤１１から配電する電力で各箇所の電気設備１５を稼動させる一般的な受電及び配電の構成を備えている。需要家施設１０内の電気設備１５で消費された電力の量すなわち使用電力量は、分電盤１１に備わる電力量計１２により計測されている。また、本実施形態における分電盤１１は通信機能を具備し、ネットワーク５０を介して本実施形態の電力使用最適化支援システム１００を実現するサーバ装置と通信可能に結ばれており、電力量計１２により計測された使用電力量のデータを所定時間毎に電力使用最適化支援システム１００に送信している。
【００１４】
なお、本実施形態の電力使用最適化支援システム１００は、ネットワーク５０を介して、上述の分電盤１１の他、需要家端末２００、および電力事業者端末３００と通信可能に結ばれている。このうち、需要家端末２００は、上述の需要家施設１０に所在する需要家、すなわち一般家庭の構成員が所持する情報端末であり、具体的には携帯電話機やタブレット端末、或いはノートＰＣ等を想定できる。この需要家端末２００は、電力使用最適化支援システム１００と協働するアプリケーションとしてアプリ２１０を保持しており、このアプリ２１０を実行して必要な機能を実装することとなる。
【００１５】
また、電力事業者端末３００は、所定数の世帯（の情報）が投入されたバスケットにおける時間帯別の使用電力量が、時間帯別の電力使用目標値を規定した基準データ（時間帯別電力使用基準値）に適合する場合に、該当バスケット（が含む各世帯）に対するインセンティブデータを、電力使用最適化支援システム１００に配信する情報処理装置である。なお、この電力事業者端末３００は、時間帯別電力使用基準値の達成度の情報をインセンティブ付与理由の証明情報として電力使用最適化支援システム１００から受信し、この証明情報を踏まえたインセンティブデータを電力使用最適化支援システム１００に配信する。
【００１６】
なお、本実施形態の電力使用最適化支援システム１００は、上述の分電盤１１、需要家端末２００、および電力事業者端末３００を含んでいるとしてもよい。
【００１７】
本実施形態における電力使用最適化支援システム１００のハードウェア構成は以下の如くとなる。図２は本実施形態における電力使用最適化支援システム１００のハードウェア構成例を示す図である。電力使用最適化支援システム１００は、ハードディスクドライブなど適宜な不揮発性記憶装置で構成される記憶装置１０１、ＲＡＭなど揮発性記憶装置で構成されるメモリ１０３、記憶装置１０１に保持されるプログラム１０２をメモリ１０３に読み出すなどして実行し装置自体の統括制御を行なうとともに各種判定、演算及び制御処理を行なう演算装置１０４、ユーザからのキー入力や音声入力を受け付ける入力装置１０５、処理データの表示を行うディスプレイ等の出力装置１０６、ネットワーク５０と接続し需要家端末２００や電力事業者端末３００等の他装置との通信処理を担う通信装置１０７、を備える。上述の他装置との間でのみデータ授受を行う場合、電力使用最適化支援システム１００は入力装置１０５および出力装置１０６を備えないとしてもよい。なお、記憶装置１０１内には、本実施形態の電力使用最適化支援システム１００として必要な機能部たる第１処理部１１１〜第４処理部１１４を実装する為のプログラム１０２と、後述するデータベース１２５〜１３０が少なくとも記憶されている。
【００１８】
また、図３に示すように、本実施形態における需要家端末２００のハードウェア構成は、一般的な情報処理端末と同様であり、ハードディスクドライブなど適宜な不揮発性記憶装置で構成される記憶装置２０１、ＲＡＭなど揮発性記憶装置で構成されるメモリ２０３、記憶装置２０１に保持されるアプリ２１０をメモリ２０３に読み出すなどして実行し装置自体の統括制御を行なうとともに各種演算処理を行なう演算装置２０４、需要家からのキー入力や音声入力を受け付ける入力装置２０５、処理データの表示を行うディスプレイ等の出力装置２０６、ネットワークと接続し電力使用最適化支援システム１００との通信処理を担う通信装置２０７、を備える。
【００１９】
また、図４に示すように、本実施形態における電力事業者端末３００のハードウェア構成は、一般的な情報処理端末と同様であり、ハードディスクドライブなど適宜な不揮発性記憶装置で構成される記憶装置３０１、ＲＡＭなど揮発性記憶装置で構成されるメモリ３０３、記憶装置３０１に保持されるプログラム３０２をメモリ３０３に読み出すなどして実行し装置自体の統括制御を行なうとともに各種演算処理を行なう演算装置３０４、ユーザからのキー入力や音声入力を受け付ける入力装置３０５、処理データの表示を行うディスプレイ等の出力装置３０６、ネットワークと接続し電力使用最適化支援システム１００との通信処理を担う通信装置３０７を備える。また、記憶装置３０１においては、プログラム３０２の他、時間帯別の電力使用目標値を規定した基準データ３２５（時間帯別電力使用基準値）と、インセンティブデータ３２６が格納されている。このうち基準データ３２５は、当該電力事業者端末３００から電力使用最適化支援システム１００に送信され、電力事業者端末３００と電力使用最適化支援システム１００との間で共有されている。
【００２０】
続いて、本実施形態の電力使用最適化支援システム１００が備える機能部について説明する。上述したように、以下に説明する機能部は、例えば電力使用最適化支援システム１００が備えるプログラム１０２を実行することで実装されるものと言える。なお、電力使用最適化支援システム１００は、記憶装置１０１において、電力事業者が規定した複数の電力料金プランの情報を格納した料金プランデータベース１２５と、各需要家における契約中電力料金プランの情報を格納した契約情報データベース１２６と、各需要家における時間帯毎の使用電力量の値を格納した使用履歴データベース１２７と、所定組織にとって好ましい使用電力量を時間帯別に規定した時間帯別電力使用基準値と、複数の需要家が投入されたバスケットにおける時間帯別の使用電力量が時間帯別電力使用基準値を満たす場合に、通信事業者や電力事業者等より該当バスケットの需要家に対して付与されるインセンティブの情報とを格納したインセンティブデータベース１２８と、誘導通知に応じた時間帯別の使用電力量の変更を行った需要家の履歴を格納した対応履歴データベース１２９、および、各バスケットに投入された所定数の需要家の情報を格納したバスケットデータベース１３０を保持しているものとする。
【００２１】
本実施形態の電力使用最適化支援システム１００は、記憶装置１０１のインセンティブデータベース１２８にて保持する時間帯別電力使用基準値が規定する各時間帯について、該当時間帯の単位使用料金に所定特徴（例：該当時間帯の単位使用料金が他時間帯と比較して最低）を有する電力料金プランで契約を行っている所定数の需要家を、契約情報データベース１２６における契約中電力料金プランの情報に基づいて特定して、各時間帯について特定した所定数の需要家の情報を纏めたバスケットを生成して記憶装置１０１のバスケットデータベース１３０に格納する第１処理部１１１を備える。
【００２２】
また、電力使用最適化支援システム１００は、第１処理部１１１による処理の後、バスケットが含む各需要家における使用電力量の値を、電力量計１２から取得して記憶装置１０１の使用履歴データベース１２７に格納すると共に、上述の時間帯別電力使用基準値が規定する時間帯毎に集計して、当該集計値と時間帯別電力使用基準値との差異を算定し、当該差異が所定基準以上である場合、当該差異を解消すべく、該当時間帯の単位使用料金に所定特徴を有する電力料金プランで契約を行っている新たな需要家を、契約情報データベース１２６における契約中電力料金プランの情報に基づいて特定してバスケットに加えるか、または、該当時間帯に関して格納されている所定数の需要家をバスケットから除外する第２処理部１１２を備える。
【００２３】
また、電力使用最適化支援システム１００は、第２処理部１１２による処理の後、バスケットが含む各需要家における使用電力量の値を、電力量計１２から取得して記憶装置１０１の使用履歴データベース１２７に格納すると共に、上述の時間帯別電力使用基準値が規定する時間帯毎に集計して、当該集計値と時間帯別電力使用基準値との差異を算定し、当該差異が所定基準以上である場合、差異への関与度をバスケットにおける需要家毎に算定し、算定した関与度に応じた、時間帯別の使用電力量の変更を勧める誘導通知を該当需要家の端末すなわち需要家端末２００に送信する第３処理部１１３を備える。
【００２４】
なお、電力使用最適化支援システム１００における第１処理部１１１は、処理実行に先立ち、各需要家における時間帯毎の使用電力量の値を電力量計１２から取得して記憶装置１０１の使用履歴データベース１２７に格納すると共に、当該取得した時間帯毎の使用電力量の値を、記憶装置１０１の料金プランデータベース１２５が保持する各電力料金プランに照合して、料金最低となる電力料金プランを特定する機能も備えている。また更に、第１処理部１１１は、特定した電力料金プランと、記憶装置１０１の契約情報データベース１２６が保持する該当電力需要家における契約中電力料金プランとが異なる場合、特定した電力料金プランへの契約変更を促す通知を需要家の需要家端末２００に送信すると共に、電力事業者ないし該当需要家の需要家端末２００より電力料金プランの更新通知を受けて、該当更新通知に応じて記憶装置１０１の契約情報データベース１２６における該当需要家における契約中電力料金プランの情報を更新する機能も備えている。
【００２５】
また、インセンティブデータベース１２８が格納する時間帯別電力使用基準値は、バスケットにおける時間帯別の使用電力量が、当該時間帯別電力使用基準値を満たす場合に、所定組織より該当バスケットの需要家に対してインセンティブが付与される基準を示す値である。具体的には、“時間帯Ａ：１５ｋｗｈ”、“時間帯Ｂ：１０ｋｗｈ”、“時間帯Ｃ：７ｋｗｈ”といった、時間帯と電力量の基準値とがセットになったレコードの集合体が、時間帯別電力使用基準値となる。また、インセンティブを付与する所定組織としては、上述の時間帯別電力使用基準値に沿った電力使用を好ましい事態と認識する電力事業者や、当該電力使用最適化支援システム１００と需要家端末２００との間のデータ通信発生に伴う料金を徴収する通信事業者などを想定する。
【００２６】
この場合、電力使用最適化支援システム１００は、誘導通知に対応して該当需要家が時間帯別の使用電力量の変更を行った場合に獲得できるインセンティブの情報を、記憶装置１０１のインセンティブデータベース１２８から読み出し、これを誘導通知に含めて該当需要家端末２００に送信する機能を備えているとすれば好適である。
【００２７】
また、電力使用最適化支援システム１００は、誘導通知を送信して所定時間経過後、該当バスケットが含む各需要家における使用電力量の値を時間帯毎に集計し、当該集計値と上述の時間帯別電力使用基準値との差異を算定することで、時間帯別電力使用基準値の達成度を判定し、当該判定結果をインセンティブ付与理由の証明情報として事業者端末３００に通知する機能を備えている。
【００２８】
この場合、電力使用最適化支援システム１００は、上述の証明情報を踏まえたインセンティブデータ３２６を事業者端末３００から受けて、誘導通知に対応して時間帯別の使用電力量の変更動作を行った需要家端末２００に対し、インセンティブデータ３２６を配信する機能を備えている。
【００２９】
また、電力使用最適化支援システム１００は、上述した誘導通知の送信後に、該当需要家における時間帯毎の使用電力量の値を電力量計１２から取得して、使用履歴データベース１２７で保持する該当時間帯における過去の使用電力量との比較から、使用電力量の変更有無を判定し、誘導通知に応じた時間帯別の使用電力量の変更を行った需要家の履歴を記憶装置１０１の対応履歴データベース１２９に格納する機能を備えている。
【００３０】
この場合、電力使用最適化支援システム１００は、誘導通知の送信に際し、記憶装置１０１の対応履歴データベース１２９に格納されている上述の履歴を基づいて、誘導通知に応じて使用電力量変更動作を行った頻度の高い順に所定数の需要家を特定し、該当需要家端末２００に対して誘導通知を送信するとすれば好適である。
【００３１】
また、電力使用最適化支援システム１００は、上述の第３処理部１１３での処理実行の後、バスケットが含む各需要家における使用電力量の値を、電力量計１２から取得して記憶装置１０１の使用履歴データベース１２７に格納すると共に、上述の時間帯別電力使用基準値が規定する時間帯毎に集計して、当該集計値と時間帯別電力使用基準値との差異を算定し、当該差異の大きさに応じて、上述の第１処理部１１１、第２処理部１１２、および第３処理部１１３のいずれかに対し、処理の再実行を指示する第４処理部１１４を更に備えるとすれば好適である。
【００３２】
−−−データ構造例−−−
次に、本実施形態の電力使用最適化支援システム１００が用いるデータベースにおけるデータ構造例について説明する。図５は本実施形態における料金プランデータベース１２５のデータ構成例を示す図である。料金プランデータベース１２５は、電力事業者が規定した複数の電力料金プランの情報を格納したデータベースであり、具体的には、料金プランＩＤをキーとして、該当電力料金プランの内容（例：時間帯別の料金単価、割引率等）が対応付けされたレコードの集合体となっている。
【００３３】
図６は本実施形態における契約情報データベース１２６のデータ構成例を示す図である。契約情報データベース１２６は、各需要家における契約中電力料金プランの情報を格納したデータベースであり、具体的には、需要家ＩＤをキーとして、該当需要家が電力事業者と契約中である電力料金プランの料金プランＩＤが対応付けされたレコードの集合体となっている。
【００３４】
図７は本実施形態における使用履歴データベース１２７のデータ構成例を示す図である。使用履歴データベース１２７は、各需要家における時間帯毎の使用電力量の値を格納したデータベースであり、具体的には、需要家ＩＤをキーとして、該当需要家における時間帯毎の使用電力量の値が対応付けされたレコードの集合体となっている。
【００３５】
図８は本実施形態におけるインセンティブデータベース１２８のデータ構成例を示す図である。インセンティブデータベース１２８は、所定組織にとって好ましい使用電力量を時間帯別に規定した時間帯別電力使用基準値と、複数の需要家が投入されたバスケットにおける時間帯別の使用電力量が時間帯別電力使用基準値を満たす場合に、通信事業者や電力事業者等より該当バスケット内の需要家に対して付与されるインセンティブの情報とを格納したデータベースである。具体的に、時間帯別電力使用基準値は、“時間帯Ａ：１５ｋｗｈ”、“時間帯Ｂ：１０ｋｗｈ”、“時間帯Ｃ：７ｋｗｈ”といった、時間帯と電力量の基準値とがセットになったレコードの集合体であり、インセンティブの情報は、上述の時間帯別電力使用基準値に沿った電力使用がバスケット内でなされた場合に付与される、ショッピング用のクーポンや電力料金割引の情報となる。
【００３６】
図９は本実施形態における対応履歴データベース１２９のデータ構成例を示す図である。対応履歴データベース１２９は、誘導通知に応じた時間帯別の使用電力量の変更を行った需要家の履歴を格納したデータベースであり、具体的には、需要家ＩＤをキーとして、該当需要家において誘導通知に対応した使用電力量変更がなされた、該当時間帯と変更量、といったデータが対応付けされたレコードの集合体となっている。
【００３７】
図１０は、本実施形態におけるバスケットデータベース１３０のデータ構成例を示す図である。バスケットデータベース１３０は、各バスケットに投入された所定数の需要家の情報を格納したデータベースであり、具体的には、バスケットＩＤをキーとして、該当バスケットに投入された需要家の需要家ＩＤが対応付けされたレコードの集合体となっている。
【００３８】
−−−メインフロー例−−−
以下、本実施形態における電力使用最適化支援方法の実際手順について図に基づき説明する。図１１は本実施形態における電力使用最適化支援方法のメインフロー例を示す図である。ここでは、電力使用最適化支援システム１００が実行するメインフローについて説明する。この場合、電力使用最適化支援システム１００は、第１処理部１１１による第１処理（ｓ１０）、第２処理部１１２による第２処理（ｓ２０）、第３処理部１１３による第３処理（ｓ３０）、および第４処理部１１４による第４処理（ｓ４０）を順次実行する。
【００３９】
なお、上述の第４処理部１１４は、第４処理（ｓ４０）において、バスケットが含む各需要家における使用電力量の値を電力量計１２から取得して上述の時間帯別電力使用基準値が規定する時間帯毎に集計し、当該集計値と時間帯別電力使用基準値との差異の大きさを特定する。
【００４０】
上述の差異が、所定基準を越えた上に、その過大度が所定レベルを越えたものとなっていた場合（ｓ４０：差異過大）、第４処理部１１４は、上述の第１処理部１１１に対して第１処理（ｓ１０）の再実行を指示し、第１処理（ｓ１０）を再実行させる。当然、ここで再実行された第１処理に引き続き、第２処理（ｓ２０）、第３処理（ｓ３０）も再び実行されることになる。
【００４１】
他方、上述の差異が、所定基準を越え、その過大度が所定範囲内であった場合（ｓ４０：差異大）、第４処理部１１４は、上述の第２処理部１１２に対して第２処理（ｓ２０）の再実行を指示し、第２処理（ｓ２０）を再実行させる。当然、ここで再実行された第２処理に引き続き、第３処理（ｓ３０）も再び実行されることになる。
【００４２】
また、上述の差異が、所定基準を越え、その過大度が上述の所定範囲を下回るものであった場合（ｓ４０：差異小）、第４処理部１１４は、上述の第３処理部１１３に対して第３処理（ｓ３０）の再実行を指示し、第３処理（ｓ３０）を再実行させる。当然、ここで再実行された第３処理に引き続き、第４処理（ｓ４０）も再び実行されることになる。
【００４３】
一方、こうした第４処理部１１４は、第４処理において、上述の差異が所定基準以下であれば（ｓ４０：基準以下）、通信装置１０７ないし入力装置１０５における管理者由来の所定指示受付など所定のトリガー有無を判定する（ｓ５０）。所定のトリガーがあった場合（ｓ５０：ｙ）、第４処理部１１４は以降の処理を終了する。他方、所定のトリガーが無かった場合（ｓ５０：ｎ）、第４処理部１１４は処理をステップｓ４０に戻し、第４処理自体を再実行する。
【００４４】
なお、第１処理（ｓ１０）、第２処理（ｓ２０）、第３処理（ｓ３０）、および第４処理（ｓ４０）の詳細についてはあらためて後述する。
【００４５】
−−−処理手順例１−−−
以下、本実施形態における電力使用最適化支援方法の実際手順について図に基づき説明する。図１２は、本実施形態における電力使用最適化支援方法の処理手順例１を示すフロー図であり、上述の第１処理部１１１による第１処理（ｓ１０）の一部について示している。ここでまず、電力使用最適化支援システム１００の第１処理部１１１は、各需要家の需要家施設１０における使用電力量の計測値と該当需要家の需要家ＩＤを、分電盤１１ないしこの分電盤１１に備わる電力量計１２より、ネットワーク５０を介して取得し、記憶装置１０１の使用履歴データベース１２７に格納する（ｓ１００）。なお、分電盤１１ないし分電盤１１に備わる電力量計１２は、使用電力量の計測値および需要家ＩＤを所定時間毎に電力使用最適化支援システム１００に送信しているものとする。
【００４６】
続いて電力使用最適化支援システム１００は、上述のステップｓ１００で取得した、時間帯毎の使用電力量の値に基づいて、所定期間における時間帯毎の使用電力量の平均値を算定し、これを、記憶装置１０１の料金プランデータベース１２５が保持する各電力料金プランに適用し、各電力料金プランでの料金を算定する（ｓ１０１）。
【００４７】
例えば、ある需要家が所定期間にて消費した使用電力量の平均が、“時間帯Ａ”で“２ｋｗｈ”、“時間帯Ｂ”で“０．８ｋｗｈ”、“時間帯Ｃ”で“１．５ｋｗｈ”、であったとする。また、電力料金プランＡは、単位電力量あたりの料金が、“時間帯Ａ”で“２０円／ｋｗｈ”、“時間帯Ｂ”で“１２円／ｋｗｈ”、“時間帯Ｃ”で“２２円／ｋｗｈ”、であったとする。同様に、電力料金プランＢは、単位電力量あたりの料金が、“時間帯Ａ”で“１１円／ｋｗｈ”、“時間帯Ｂ”で“２３円／ｋｗｈ”、“時間帯Ｃ”で“１８円／ｋｗｈ”、電力料金プランＣは、単位電力量あたりの料金が、“時間帯Ａ”で“１５円／ｋｗｈ”、“時間帯Ｂ”で“２０円／ｋｗｈ”、“時間帯Ｃ”で“１７円／ｋｗｈ”、であったとする。
【００４８】
上述の例であれば、各電力料金プラン適用時の電力料金は、電力料金プランＡ：２×２０＋０．８×１２＋１．５×２２＝８２．６円、電力料金プランＢ：２×１１＋０．８×２３＋１．５×１８＝６７．４円、電力料金プランＣ：２×１５＋０．８×２０＋１．５×１７＝７１．５円、となる。
【００４９】
そこで電力使用最適化支援システム１００は、ステップｓ１０１で算定した各電力料金プラン適用時の電力料金を比較し、料金最低となる電力料金プランを特定する（ｓ１０２）。上述の例であれば、料金最低となる“電力料金プランＢ”を特定することになる。
【００５０】
続いて電力使用最適化支援システム１００は、ステップｓ１０２で特定した電力料金プランと、該当需要家における現在契約中の電力料金プランとを比較し、相違しているか判定する（ｓ１０３）。なお、需要家における現在契約中の電力料金プランは、記憶装置１０１の契約情報データベース１２６において、該当需要家の需要家ＩＤをキーに検索を行うことで特定できる。
【００５１】
上述の判定の結果、該当需要家における契約中電力料金プランが、ステップｓ１０２で特定した電力料金プラン、すなわち料金最低となる電力料金プランと異なっていた場合（ｓ１０３：ｙ）、電力使用最適化支援システム１００は、ステップｓ１０２で特定した電力料金プランへの契約変更を促す通知を、需要家端末２００に送信する（ｓ１０４）。なお、このステップｓ１０４の処理に先立ち、需要家における契約中電力料金プランが変更可能なプランであるか否かを判定し、変更可能であった場合にのみステップｓ１０４を実行するとしてもよい。この場合、変更可否についての情報が、料金プランデータベース１２５の各料金プランについて格納されていて、電力使用最適化支援システム１００が該当情報を参照可能であるものとする。
【００５２】
ここで上述のステップｓ１０３に関する説明に戻る。該当需要家における契約中電力料金プランが、ステップｓ１０２で特定した電力料金プランと同じであった場合（ｓ１０３：ｎ）、電力使用最適化支援システム１００は処理を終了する。
【００５３】
上述のステップｓ１０４の実行により、電力料金プランへの契約変更を促す通知を受信した需要家端末２００では、該当通知をディスプレイ等に表示し、需要家の閲覧に供する。一方、需要家は該当通知を閲覧し、今までよりも電力料金が低減される事実を認識して、需要家端末２００を利用し、電力事業者の事業者端末３００に宛て、電力料金プランの変更申請を行うことになる。この時、需要家端末２００は、電力料金プランの変更申請を電力使用最適化支援システム１００にも送信するとすれば好適である。勿論、上述の通知を認識しても電力料金プラン変更を行わない需要家も存在するため、上述の通知の結果、全ての需要家が電力料金プラン変更を行うとは限らない。
【００５４】
続いて電力使用最適化支援システム１００は、上述した変更申請を受けて所定のプラン変更処理を行った電力事業者の事業者端末３００からのプラン更新完了の通知、ないし該当需要家端末２００から上述の変更申請の通知を受けて、記憶装置１０１の契約情報データベース１２６における該当需要家における契約中電力料金プランの情報を更新する（ｓ１０５）。ここまでで、各需要家に好適な電力料金プランの判定と通知、及びそれに伴うプラン変更に応じた契約中電力料金プランの情報更新の各処理について説明した。
【００５５】
−−−処理手順例２−−−
次に、需要家間の契約内容を跨った効率的な電力料金低減を図る具体的な処理について図に基づき説明する。図１３〜１５は、本実施形態における電力使用最適化支援方法の処理手順例２〜４を示すフロー図である。
【００５６】
この場合、電力使用最適化支援システム１００における第１処理部１１１は、インセンティブデータベース１２８にて保持する時間帯別電力使用基準値が規定する各時間帯について、該当時間帯の単位使用料金に所定特徴を有する電力料金プランで契約を行っている所定数の需要家を、契約情報データベース１２６における契約中電力料金プランの情報に基づいて特定する（ｓ２００）。なお、本実施形態では、該当時間帯の単位使用料金に所定特徴を有する電力料金プランとして、該当時間帯の単位使用料金が他時間帯と比較して最低となっている電力料金プランを一例として想定する。
【００５７】
また、第１処理部１１１は、上述のステップｓ２００で各時間帯について特定した所定数の需要家の情報を纏めたバスケットを生成して記憶装置１０１に格納する（ｓ２０１）。このステップｓ２０１における第１処理部１１１は、記憶装置１０１のバスケットデータベース１３０において、バスケットに一意に対応するレコードを生成し、このレコードに、各需要家の識別情報たる需要家ＩＤを格納する。バスケットデータベース１３０におけるレコードがバスケットの実体である。
【００５８】
こうしたバスケット生成に関する処理（ｓ２００、ｓ２０１）は、上述の第１処理（ｓ１０）に含まれる処理となる。
【００５９】
なお、上述のステップｓ２００における第１処理部１１１は、例えば、インセンティブデータベース１２８の時間帯別電力使用基準値が規定する各時間帯、すなわち“時間帯Ａ”、“時間帯Ｂ”、“時間帯Ｃ”について、料金プランデータベース１２５における各レコードが示す単位使用料金の値を抽出する。また、第１処理部１１１は、ここで抽出した単位使用料金の値が最低である料金プランを上述の時間帯毎に特定する。つまり、時間帯別電力使用基準値が規定する時間帯毎に、需要家にとって最も低コストで電力使用が行える料金プランを特定するのである。最も低コストで電力使用が行える料金プランを特定するということは、電力料金を抑制したい需要家にとって最も電力使用を集中させたいと望む時間帯（単位使用料金が最低となっている時間帯）を特定することと同義である。需要家は、この時間帯に電力使用を行えば電力料金を効率的に抑制できるため、他の時間帯における電力使用を回避する意識を当然備えることになり、その結果、時間帯別の電力の使用傾向が固定化されることになりやすい。
【００６０】
第１処理部１１１は、こうした処理を実行することにより、例えば、“時間帯Ａ：プランＢ（１１円／ｋｗｈ）”、“時間帯Ｂ：プランＣ（１０円／ｋｗｈ）”、“時間帯Ｃ：プランＢ（１８円／ｋｗｈ）”などと、各時間帯について、単位使用料金の値が最低である料金プランを特定することになる。
【００６１】
また、第１処理部１１１は、上述のステップｓ２００において、各時間帯について特定した単位使用料金の値が最低である料金プランで電力事業者と契約を結んでいる需要家を、契約情報データベース１２６にて所定数だけ特定する。ここで特定する需要家の所定数とは、例えば、予め規定されている時間帯別の需要家数の最適比率に応じたものとなる。１つのバスケットに投入すべき需要家の総数を「１００」とした場合、時間帯Ａは「６０」、時間帯Ｂは「１０」、時間帯Ｃは「３０」、などと規定した最適比率である。また、この最適比率は、上述の第１処理（ｓ１０）〜第４処理（ｓ４０）を過去に繰り返し実行した結果、第４処理（ｓ４０）での判定対象である上述した「差異」が基準以下となった際に、第４処理部１１４が、該当バスケットにおける時間帯間での需要家の構成比率を記憶装置１０１に保持したものとしても好適である。この場合、当然ながら、第４処理部１１４は、最適比率の値を取得して記憶装置１０１に格納する機能を備える。
【００６２】
上述のステップｓ２０１の実行後すなわち第１処理の完了後、所定時間が経過した時点で、電力使用最適化支援システム１００の第２処理部１１２は、第２処理の一部として、上述のバスケットが含む各需要家における使用電力量の値を、電力量計１２から取得して記憶装置１０１の使用履歴データベース１２７に格納すると共に、上述の時間帯別電力使用基準値が規定する時間帯毎に集計して、当該集計値と時間帯別電力使用基準値との差異を算定する（ｓ２０２）。第１処理部１１１による第１処理によって生成したバスケットにおいて、時間帯別電力使用基準値にフィットした電力使用が必ず行われるとは限らないため、第２処理部１１２による第２処理が必要となる。
【００６３】
上述の時間帯別電力使用基準値が、各時間帯と該当時間帯での使用電力量の基準値のセットであり、“時間帯Ａ：１５０ｋｗｈ”、“時間帯Ｂ：１００ｋｗｈ”、“時間帯Ｃ：７０ｋｗｈ”などとインセンティブデータベース１２８にて規定されていたとする。また、上述の集計の結果、バスケットに投入された各需要家における時間帯毎の平均的な使用電力量の集計値が、“時間帯Ａ：１２４ｋｗｈ”、“時間帯Ｂ：１０３ｋｗｈ”、“時間帯Ｃ：７０ｋｗｈ”などと得られたとする。こうした場合、第２処理部１１２は、“時間帯Ａ：−２６ｋｗｈ”、“時間帯Ｂ：＋３ｋｗｈ”、“時間帯Ｃ：０ｋｗｈ”と、差異を算定することになる。
【００６４】
なお、上述の集計値を算定するに際しては、電力量計１２から取得した値、或いは使用履歴データベース１２７の格納データから算定を行う場合のみならず、例えば、気象予報組織のサーバ等から取得した所定時期（未来）の気象予測データと、これまでの需要家の使用電力量の値（使用履歴データベース１２７で取得）とを、使用電力量予測のための適宜なアルゴリズム（従来技術によるものでよい）に与えて得た、将来のある期間に関する各需要家での時間帯別の使用電力量の値を集計するとしてもよい。この点は、後述する第３処理部１１３、第４処理部１１４による処理時にも同様となる。
【００６５】
また、時間帯別電力使用基準値とは、バスケット内での使用電力量が、この時間帯別電力使用基準値に沿った電力使用傾向となることを好ましい事態と認識する電力事業者や、当該電力使用最適化支援システム１００と需要家端末２００との間のデータ通信発生に伴う料金を徴収する通信事業者などが、電力使用最適化支援システム１００の運営者や或いは需要家らと予め定めた値である。本実施形態の電力使用最適化支援システム１００において採用する時間帯別電力使用基準値は、時間帯を跨って使用電力量の基準値が一定、すなわち平準なものではなく、時間帯毎に使用電力量の基準値が異なるものとなっている。こうした時間帯別電力使用基準値は、電力需要が高騰する真夏、電力需要が低迷しやすい春秋といった季節的要因や、冬期の電力需要が高い寒冷地区、夏季の電力需要が高い亜熱帯地区など気候エリア的要因、昼間の電力需要が高止まりしやすい工場地帯、朝と夕方の電力需要が急激な電力需要ピークを示しやすい住宅地など街区的要因など、様々な要因に応じて更に異なるため、時間帯を跨った使用電力量の平準化を図ればよいという単純なものではない。
【００６６】
ここでステップｓ２０２に続く処理について説明を戻す。続いて第２処理部１１２は、ステップｓ２０２で各時間帯に関して算定した差異を、所定基準と比較し、差異が所定基準以上であるか判定する（ｓ２０３）。こうした場合、第２処理部１１２は、差異として得ている、“時間帯Ａ：−２６ｋｗｈ”、“時間帯Ｂ：＋３ｋｗｈ”、“時間帯Ｃ：０ｋｗｈ”の各値と、所定基準である“±５ｋｗｈ”とを比較し、“時間帯Ａ”について、所定基準を超えた大きな差異が生じていることを特定する。
【００６７】
なお、この所定基準は時間帯を跨って一定の値であってもよいし、時間帯別に異なる値であってもよい。例えば、温暖地の都心地区における真夏の午後２時など、電力需要が特段の高騰を示すような時間帯については、この所定基準が他の時間帯より厳しい値すなわち小さい値となっている例などが想定できる。逆に、例えば、温暖地の住宅街における５月始めの午前１０時など、電力需要が低めになると予想される時間帯については、この所定基準が他の時間帯より緩やかな値すなわち大きな値となっている例などが想定できる。
【００６８】
ステップｓ２０３での判定の結果、差異が所定基準以上であった場合（ｓ２０３：ｙ）、第２処理部１１２は、その差異がマイナスかプラスか判定する（ｓ２０４）。このステップｓ２０４の判定の結果、差異が“マイナス”、すなわち、バスケット内の使用電力量が時間帯別電力使用基準値を満たしていなかった場合（ｓ２０４：マイナス）、第２処理部１１２は、該当時間帯の単位使用料金に所定特徴を有する電力料金プランで契約を行っている新たな需要家を、契約情報データベース１２６における契約中電力料金プランの情報に基づいて特定してバスケットに加える（ｓ２０５）。
【００６９】
この時、第２処理部１１２は、差異の大きさに応じた数の、新たな需要家を特定する。例えば、差異が“−２０”以上の場合、新たに“５人”の需要家を特定し、差異が“−１９〜−１０”の間の場合、新たに“３人”の需要家を特定し、差異が“−９〜−５”の間の場合、新たに“１人”の需要家を特定する。こうした差異の大きさに応じて決まる、新たに加えるべき需要家数の情報は、記憶装置１０１にて予め保持しているものとする。上記の例であれば、“時間帯Ａ”に関する差異“−２６ｋｗｈ”は、“−２０”以上の場合に該当するため、第２処理部１１２は、新たに“５人”の需要家を特定し、バスケットに該当需要家の需要家ＩＤを追記することになる。
【００７０】
他方、上述のステップｓ２０４の判定の結果、差異が“プラス”、すなわち、バスケット内の使用電力量が時間帯別電力使用基準値を越えてしまっている場合（ｓ２０４：プラス）、第２処理部１１２は、該当時間帯に関してバスケットデータベース１３０の該当バスケットに格納されている所定数の需要家をバスケットから除外する（ｓ２０６）。
【００７１】
この時、第２処理部１１２は、差異の大きさに応じた数の需要家をバスケットデータベース１３０の該当レコード内で特定する。例えば、差異が“＋２０”以上の場合、“５人”の需要家を特定し、差異が“＋１９〜＋１０”の間の場合、“３人”の需要家を特定し、差異が“＋９〜＋５”の間の場合、“１人”の需要家を特定する。こうした差異の大きさに応じて決まる、バスケットから除外すべき需要家数の情報は、記憶装置１０１にて予め保持しているものとする。
【００７２】
こうして第２処理部１１２は、上述の差異を解消すべく、新たな需要家を特定してバスケットに加えるか、または、該当時間帯に関して格納されている所定数の需要家をバスケットから除外する処理を実行する。他方、ステップｓ２０３での判定の結果、差異が所定基準を下回っていた場合（ｓ２０３：ｎ）、第２処理部１１２は処理をステップｓ２０７に進める。以上のステップｓ２０２〜ｓ２０６は、第２処理部１１２による第２処理に該当する。
【００７３】
上述のステップｓ２０６までの完了後すなわち第２処理の実行後、所定時間が経過した時点で、電力使用最適化支援システム１００の第３処理部１１３は、第３処理の一部として、バスケットが含む各需要家における使用電力量の値を、電力量計１２から取得して記憶装置１０１の使用履歴データベース１２７に格納すると共に、上述の時間帯別電力使用基準値が規定する時間帯毎に集計し、ここで得た集計値と、時間帯別電力使用基準値との差異を算定する（ｓ２０７）。第２処理部１１２による第２処理によってブラッシュアップしたバスケットにおいて、時間帯別電力使用基準値にフィットした電力使用が必ず行われるとは限らないため、第３処理部１１３による第３処理が必要となる。
【００７４】
続いて第３処理部１１３は、ステップｓ２０７で各時間帯に関して算定した差異を、所定基準と比較し、差異が所定基準以上であるか判定する（ｓ２０８）。ここでの判定の結果、例えば“時間帯Ａ”に関する差異が所定基準以上であった場合（ｓ２０８：ｙ）、第３処理部１１３は、該当“時間帯Ａ”に関する差異への関与度をバスケットにおける需要家毎に算定する（ｓ２０９）。他方、ステップｓ２０８での判定の結果、差異が所定基準より小さいものであった場合（ｓ２０８：ｎ）、第３処理部１１３は、処理を後述するステップｓ２１７に進める。
【００７５】
例えば、“バスケットＡ”に含まれている“需要家Ｕ００１”における“時間帯Ａ”の平均的使用電力量が“５ｋｗｈ”で、“時間帯Ａ”の差異のバスケット内の集計値が“３０ｋｗｈ”であった時、関与した割合を、“５／２５＝０．２”と算定できる。また、同じく“バスケットＡ”に含まれている“需要家Ｕ００２”における“時間帯Ａ”の平均的使用電力量が“２ｋｗｈ”であった時、関与した割合を、“２／２５＝０．０８”と算定できる。
【００７６】
第３処理部１１３は、上述のように各需要家について得た関与の割合に対し、“時間帯Ａ：１０ポイント／０．０１”、“時間帯Ｂ：８ポイント／０．０１”、“時間帯Ｃ：１１ポイント／０．０１”といった関与割合当たりの時間帯別の定数（インセンティブデータベース１２８におけるインセンティブの情報に該当）を乗算し、“需要家Ｕ００１”の関与度を、“（０．２／０．０１）×１０＝２００ポイント、“需要家Ｕ００２”の関与度を、“（０．０８／０．０１）×１０＝８０ポイントなどと算定できる。
【００７７】
そこで電力使用最適化支援システム１００は、算定した関与度に応じた、時間帯別の使用電力量の変更を勧める誘導通知を該当需要家端末２００に送信する（ｓ２１０）。この誘導通知の例としては、「時間帯Ａでの電気の使用を控えめにして、別の時間帯での使用に移行すると、２００ポイント程度のクーポンが獲得できます」といった情報を記載した電子メールやＷＥＢ画面上での通知が想定できる。当然ながら、電力使用最適化支援システム１００は、こうした誘導通知の雛形や需要家端末２００のアドレスを記憶装置１０１にて予め保持しており、時間帯の指定や電力使用の増減、獲得クーポンのポイント数（インセンティブの情報）、といった値を需要家毎に設定して、電子メール等の記載内容を生成するものとする。なお、上述したクーポンは、特にその適用先を限定するものではないが、一例としては、該当需要家の電力料金や通信料金に充当出来るものや、需要家の所在地域に存在する店舗にて購入代金として使用できるものとなる。
【００７８】
また、第３処理部１１３は、上述した誘導通知の送信後、該当需要家における時間帯毎の使用電力量の値を電力量計１２から取得して、使用履歴データベース１２７で保持する該当時間帯における過去の使用電力量との比較から、使用電力量の変更有無を判定し（ｓ２１１）、誘導通知に応じた時間帯別の使用電力量の変更を行った需要家の履歴を記憶装置１０１の対応履歴データベース１２９に格納する（ｓ２１２）。
【００７９】
続いて第３処理部１１３は、上述の誘導通知を送信して所定時間経過後（ｓ２１３：ｙ）、該当バスケットが含む各需要家における使用電力量の値を時間帯毎に集計し、当該集計値と上述の時間帯別電力使用基準値との差異をあらためて算定し、該当バスケットにおける、時間帯別電力使用基準値の達成度を判定する（ｓ２１４）。この達成度は、上述の差異が“０．１ｋｗｈ以内であれば達成度：良好”、“０．２〜０．５ｋｗｈ以内であれば達成度：普通”、“０．６ｋｗｈ以上であれば達成度：不良”、といった判定基準（記憶装置１０１にて予め保持）と差異とを比較することで判定出来る。
【００８０】
第３処理部１１３０は、こうして得た判定結果を、インセンティブ付与理由の証明情報として事業者端末３００に通知する（ｓ２１５）。例えば、達成度が良好であれば、事業者端末３００の管理者たる所定の事業者は、上述したポイント数（誘導通知の送信に際して電力使用最適化支援システム１００が算定したポイント数）をそのままインセンティブデータとして付与すると判断できる。また、達成度が普通であれば、上述したポイント数に１以下の所定係数を乗じた値をインセンティブデータとして付与すると判断できる。一方、達成度が不良であればポイントを付与しないと判断できる。
【００８１】
こうして所定の判断を行った事業者は、事業者端末３００を通じて、上述の証明情報を踏まえたインセンティブデータ３２６を電力使用最適化支援システム１００に送信することとなる。
【００８２】
他方、電力使用最適化支援システム１００の第３処理部１１３は、事業者端末３００から送信されてきたインセンティブデータ３２６を受信し、誘導通知に対応して時間帯別の使用電力量の変更動作を行った需要家の需要家端末２００に対し配信する（ｓ２１６）。誘導通知に対応して時間帯別の使用電力量の変更動作を行った需要家は、上述のステップｓ２１２で、対応履歴データベース１２９に記録された需要家であり、電力使用最適化支援システム１００は対応履歴データベース１２９にて該当需要家を特定する。
【００８３】
需要家端末２００では、電力使用最適化支援システム１００から配信されたインセンティブデータ、すなわち上述のポイントを受信し、これを適宜なインターフェイスを介して需要家の携帯端末やカード（磁気記録カードやＩＣカード）に移動させる。需要家は、ポイント情報が入った携帯端末やカードを店舗に持参し、商品やサービスの購入代金に当てるなどして使用できる。或いは、電力需要家のＷＥＢサイト等で需要家自身の料金管理画面などでポイントを入力し、電力料金の支払に充当する。
【００８４】
なお、電力使用最適化支援システム１００は、上述のステップｓ２１０における誘導通知の送信に際し、記憶装置１０１の対応履歴データベース１２９に格納されている上述の履歴に基づいて、誘導通知に応じて使用電力量変更動作を行った頻度の高い順に所定数の需要家を特定し、該当需要家端末２００に対して誘導通知を送信するとすれば好適である。誘導通知に対して素直に従って使用電力量変更動作を行いやすい需要家を特定し、その需要家の需要家端末２００に対して誘導通知を送信するとすれば、効率的に上述の差異を低減させてポイントなどのインセンティブ獲得を促進させ、ひいてはバスケットにおける電力使用の傾向を時間帯別電力使用基準値へ効率的に適合させ、発電コストや電力料金の低減を図ることが出来る。
【００８５】
上述のステップｓ２１６までの完了後すなわち第３処理の実行後、所定時間が経過した時点で、電力使用最適化支援システム１００の第４処理部１１４は、第４処理の一部として、バスケットが含む各需要家における使用電力量の値を、電力量計１２から取得して記憶装置１０１の使用履歴データベース１２７に格納すると共に、上述の時間帯別電力使用基準値が規定する時間帯毎に集計し、ここで得た集計値と、時間帯別電力使用基準値との差異を算定する（ｓ２１７）。第３処理部１１３による第３処理によって、時間帯別電力使用基準値により適合する電力使用形態となったバスケットであっても、その後も時間帯別電力使用基準値にフィットした電力使用が必ず行われるとは限らないため、第４処理部１１４による第４処理が必要となる。
【００８６】
上述のステップｓ２１７で得た差異が、所定基準を越えた上に、その過大度が所定レベルを越えたものとなっていた場合（ｓ２１８：差異過大）、第４処理部１１４は、上述の第１処理部１１１に対して第１処理の開始ステップたるｓ２００の再実行を指示し（ｓ２１９）、ステップｓ２００およびこれに引き続くステップｓ２０１の処理を再実行させる。
【００８７】
他方、上述の差異が、所定基準を越え、その過大度が所定範囲内であった場合（ｓ２１８：差異大）、第４処理部１１４は、上述の第２処理部１１２に対して第２処理の開始ステップたる、ｓ２０２の再実行を指示し（ｓ２２０）、ステップｓ２０２およびこれに引き続く、ｓ２０３〜ｓ２０６の処理を再実行させる。
【００８８】
また、上述の差異が、所定基準を越え、その過大度が上述の所定範囲を下回るものであった場合（ｓ２１８：差異小）、第４処理部１１４は、上述の第３処理部１１３に対して第３処理の開始ステップたる、ｓ２０７の再実行を指示し（ｓ２２１）、ステップｓ２０７およびこれに引き続くｓ２０８〜ｓ２１６の処理を再実行させる。
【００８９】
一方、こうした第４処理部１１４は、第４処理において、上述の差異が所定基準以下であれば（ｓ２１８：基準以下）、通信装置１０７ないし入力装置１０５における管理者由来の所定指示受付など所定のトリガー有無を判定する（ｓ２２２）。所定のトリガーがあった場合（ｓ２２２：ｙ）、第４処理部１１４は以降の処理を終了する。他方、所定のトリガーが無かった場合（ｓ２２２：ｎ）、第４処理部１１４は処理をステップｓ２１７に戻し、第４処理自体を再実行する。
【００９０】
−−−他の実施形態−−−
図１６は、他の実施形態の電力使用最適化支援システムのハードウェア構成例を示す図である。この実施形態の電力使用最適化支援システム１００においては、図１〜１５に基づき説明した上述の実施形態と同様の構成に加えて、仮想料金プランを需要家側に提示し、適宜な処理を行う機能、構成を備える。
【００９１】
この場合、電力使用最適化支援システム１００の第１処理部１１１は、 時間帯別電力使用基準値（インセンティブデータベース１２８が保持）が規定する各時間帯について、特定した電力需要家（単位使用料金が他時間帯と比較して最低との特徴を有する電力料金プランで契約を行っている所定数の電力需要家。上述の実施形態におけるステップｓ２００と同様の処理を実行して特定）の電力料金プランを適用した仮想料金プランの情報を生成し、これを記憶装置１０１の仮想料金プランデータベース１３１に格納する機能を更に備えている。また、第１処理部１１１は、生成した仮想料金プランの情報を、該当バスケットに含まれる各電力需要家の需要家端末２００に送信する機能も更に備えている。
【００９２】
第１処理部１１１が生成した仮想料金プランデータベース１３１の例を図１７に示す。図１７にて示すように、仮想料金プランデータベース１３１は、各バスケット毎に、時間帯別（例えば時間帯Ａ、２１：００〜０８：００）の料金プラン（例えば、“料金プランＢ”）のデータが対応付けされたレコードの集合体となっている。
【００９３】
また、この実施形態における電力使用最適化支援システム１００の記憶装置１０１は、各需要家におけるメンバー構成に関する特徴を格納した需要家情報データベース１３２と、季節と需要家属性との対応関係に応じた、仮想料金プランにおける所定時間帯の開始ないし終了の時刻の調整幅を規定した季節調整情報データベース１３３と、を更に保持している。
【００９４】
このうち需要家情報データベース１３２は、図１８にて示すように、需要家ＩＤをキーとして、該当需要家における特徴、例えば、夫婦共働き、単身者、学生有無といった属性について対応付けされたレコードの集合体となっている。また、季節調整情報データベース１３３は、図１９にて示すように、需要家の属性毎（例えば、“需要家属性Ａ”）に、季節に関して（例えば、“夏”）、仮想料金プランにおける所定時間帯の開始ないし終了の時刻の調整幅の情報（例えば、“時間帯Ｂ：開始１時間早める”）を対応付けされたレコードの集合体となっている。
【００９５】
こうした構成を備える電力使用最適化支援システム１００における第１処理部１１１は、仮想料金プランの情報を生成するに際し、該当バスケットに含まれる各電力需要家のＩＤをキーとして記憶装置１０１の需要家情報データベース１３２で検索を実行して、該当需要家の特徴を特定する機能を更に備えている。
【００９６】
この場合、第１処理部１１１は、上述のごとく特定した需要家の特徴と現季節（情報処理装置として電力使用最適化支援システム１００が備えるカレンダー機能を用いて特定）とを、記憶装置１０１の季節調整情報データベース１３３に照合して、仮想料金プランにおける所定時間帯の開始ないし終了の時刻の調整幅を特定し、当該調整幅に基づいて、仮想料金プランにおける所定時間帯の開始ないし終了の時刻を調整する機能を更に備えている。例えば、「夫婦共稼ぎで学校に通う子供（学生）がいる」といった特徴を備える需要家は、盛夏においては朝（午前８時〜９時）の活動開始が早まりがちな傾向がある。そうした需要家を対象に、仮想料金プランにおける料金切替時刻を夜側（早朝側）に調整させると、お得な時間帯が早朝側にずれることに応じて、該当需要家においては、午前８時〜９時の使用電力量を自ずと低減させることになる。なお、例えば盛夏であれば夜間も電力消費は旺盛となりがちである、といった季節的な電力需要の傾向は他にも存在することを踏まえて、所定時間帯（例：深夜帯）の単位使用料金を適用する電力量に上限を設けるとしてもよい。
【００９７】
続いて、この実施形態における電力使用最適化支援方法の処理手順について説明する。図２０は他の実施形態における電力使用最適化支援方法のその他の処理手順例を示すフロー図であり、図２１は他の実施形態における画面例を示す図である。ここでは、仮想料金プランの生成と、当該仮想料金プランにおける所定時間帯の開始ないし終了の時刻の調整処理についてのみ説明する。その他の処理については図１〜１５に既に示した実施形態と同様である。
【００９８】
ここで電力使用最適化支援システム１００の第１処理部１１１は、まず、上述のステップｓ２００と同様の処理を実行し、時間帯別電力使用基準値（インセンティブデータベース１２８が保持）が規定する各時間帯について、特定した電力需要家の電力料金プランを適用した仮想料金プランの情報を生成し（ｓ３００）、これをメモリ１０３に一旦格納する（ｓ３０１）。
【００９９】
また、第１処理部１１１は、メモリ１０３に一旦格納した仮想料金プランに対応する各バスケットに含まれる各電力需要家のＩＤをキーとして記憶装置１０１の需要家情報データベース１３２で検索を実行して、該当需要家の特徴を特定する（ｓ３０２）。
【０１００】
この場合、第１処理部１１１は、ステップｓ３０２で特定した需要家の特徴と現季節（情報処理装置として電力使用最適化支援システム１００が備えるカレンダー機能を用いて特定）とを、記憶装置１０１の季節調整情報データベース１３３に照合して、仮想料金プランにおける所定時間帯の開始ないし終了の時刻の調整幅を特定する（ｓ３０３）。
【０１０１】
また、第１処理部１１１は、上述のステップｓ３０３で特定した調整幅に基づいて、該当仮想料金プランにおける所定時間帯の開始ないし終了の時刻を調整し（ｓ３０４）、当該調整を行った仮想料金プランの情報を、記憶装置１０１の仮想料金プランデータベース１３１に格納する（ｓ３０５）。
【０１０２】
次に第１処理部１１１は、ステップｓ３０５で仮想料金プランデータベース１３１に格納した仮想料金プランの情報を、当該仮想料金プランに対応する該当バスケットに含まれる各電力需要家の需要家端末２００に送信する（ｓ３０６）。需要家端末２００では、電力使用最適化支援システム１００から送信されてきた仮想料金プランの情報を受信し、適宜な出力装置２０６に表示する。需要家端末２００の出力装置２０６における仮想料金プランの表示画面例について図２１に示す。この図２１における画面１０００にて示すように、各時間帯ごとに単位使用料金の値が列挙された情報を需要家は閲覧出来る。従って、どの時間帯に電力使用を行えば最も経済的であるか、すなわち電力使用料金の低減が出来るか容易に認識できる。また、季節に応じて所定時間帯の開始ないし終了の時刻が調整された「お得」な料金プランに誘導されて、電力事業者の希望する使用傾向（例：より夜間側にシフト）に貢献した分について割引等のインセンティブが提供されるため、上述してきた「差異」を解消する効率が更に高まっていくことにつながる。
【０１０３】
以上、本発明を実施するための最良の形態などについて具体的に説明したが、本発明はこれに限定されるものではなく、その要旨を逸脱しない範囲で種々変更可能である。
【０１０４】
こうした本実施形態によれば、様々な形態が想定される好適な電力使用形態を精度良く効率的に達成し、発電コストや電力料金の低減が可能となる。
【０１０５】
本明細書の記載により、少なくとも次のことが明らかにされる。すなわち、本実施形態の電力使用最適化支援システムの演算装置は、前記第１処理において、前記時間帯別電力使用基準値が規定する各時間帯について、該当時間帯の単位使用料金が他時間帯と比較して最低との特徴を有する電力料金プランで契約を行っている所定数の電力需要家を、前記契約中電力料金プランの情報に基づいて特定して、前記各時間帯について特定した所定数の電力需要家の情報を纏めたバスケットを生成して記憶装置に格納するものである、としてもよい。
【０１０６】
料金プランにおいて最も低コストで電力使用が行える時間帯は、電力料金を抑制したい需要家にとって最も電力使用を集中させたいと望む時間帯（単位使用料金が最低となっている時間帯）と同義である。そのため需要家は、この時間帯に電力使用を行えば電力料金を効率的に抑制できる故に、他の時間帯における電力使用を回避する意識を当然備えることになり、その結果、時間帯別の電力の使用傾向が固定化されることになりやすい。従って、時間帯別電力使用基準値に対しバスケットにおける電力使用の傾向を精度良くマッチさせるためには、こうした電力使用傾向の固定化は大きな意義を奏することとなる。
【０１０７】
また、本実施形態の電力使用最適化支援システムにおいて、前記時間帯別電力使用基準値は、前記バスケットにおける時間帯別の使用電力量が、当該時間帯別電力使用基準値を満たす場合に、所定組織より該当バスケットの電力需要家に対してインセンティブが付与される基準を示す値であり、前記記憶装置は、前記インセンティブの情報を更に保持しており、前記演算装置は、前記誘導通知に対応して該当電力需要家が時間帯別の使用電力量の変更を行った場合に獲得できるインセンティブの情報を、前記記憶装置から読み出して前記誘導通知に含めて該当電力需要家の端末に送信するものである、としてもよい。
【０１０８】
これによれば、インセンティブに関して認識した各電力需要家において、時間帯別の使用電力量の変更を行う動機付けが得られやすくなり、ひいては、バスケット内の電力需要家間で上述の差異を解消する効率が高まっていくことにつながる。これにより、該当バスケット全体の電力使用傾向が時間帯別電力使用基準値に精度良くマッチして、各電力需要家は、ショッピング代金や電力料金などに充当出来るインセンティブをより得やすくなり、効率的な電力料金低減が可能となる。
【０１０９】
また、本実施形態の電力使用最適化支援システムにおいて、前記演算装置は、前記誘導通知を送信して所定時間経過後、該当バスケットが含む各電力需要家における使用電力量の値を時間帯毎に集計し、当該集計値と前記時間帯別電力使用基準値との差異を算定することで、前記時間帯別電力使用基準値の達成度を判定し、当該判定結果をインセンティブ付与理由の証明情報として前記所定組織の端末に通知する処理と、前記証明情報を踏まえたインセンティブデータを前記所定組織の端末から受けて、前記誘導通知に対応して時間帯別の使用電力量の変更動作を行った電力需要家の端末に対し、インセンティブデータを配信する処理とを更に実行するものである、としてもよい。
【０１１０】
これによれば、所定組織におけるインセンティブ付与可否の判断が効率化され、電力需要家へのインセンティブ付与が迅速なものとなり、ひいては、バスケット内の電力需要家間で上述の差異を解消する効率が更に高まっていくことにつながる。これにより、該当バスケット全体の電力使用傾向が時間帯別電力使用基準値に更に精度良くマッチして、各電力需要家は、ショッピング代金や電力料金などに充当出来るインセンティブをより得やすくなり、更に効率的な電力料金低減が可能となる。
【０１１１】
また、本実施形態の電力使用最適化支援システムにおいて、前記記憶装置は、電力の使用時間帯に応じた単位使用料金が規定された電力料金プランのリストを更に保持しており、前記演算装置は、前記第１処理に先立ち、各電力需要家における時間帯毎の使用電力量の値を前記電力量計から取得して記憶装置に格納すると共に、当該取得した時間帯毎の使用電力量の値を、前記記憶装置が保持する各電力料金プランに照合して、料金最低となる電力料金プランを特定し、前記特定した電力料金プランと、前記記憶装置が保持する該当電力需要家における契約中電力料金プランとが異なる場合、前記特定した電力料金プランへの契約変更を促す通知を電力需要家の端末に送信すると共に、電力事業者ないし該当電力需要家の端末より電力料金プランの更新通知を受けて、該当更新通知に応じて記憶装置における該当電力需要家における契約中電力料金プランの情報を更新するものであるとしてもよい。
【０１１２】
これによれば、バスケット生成に際し、料金面で好適な電力料金プランで契約した状態の電力需要家を特定対象の候補とすることが可能となり、時間帯別電力使用基準値への適合性と共に、電力需要家における経済性も配慮したバスケット生成が可能となる。
【０１１３】
また、本実施形態の電力使用最適化支援システムにおいて、前記演算装置は、前記誘導通知の送信後に、該当電力需要家における時間帯毎の使用電力量の値を前記電力量計から取得して、該当時間帯における過去の使用電力量との比較から、使用電力量の変更有無を判定し、前記誘導通知に応じた時間帯別の使用電力量の変更を行った電力需要家の履歴を記憶装置に格納する処理を更に実行し、前記誘導通知の送信に際し、前記記憶装置に格納されている前記履歴を基づいて、誘導通知に応じて使用電力量変更動作を行った頻度の高い順に所定数の電力需要家を特定し、該当電力需要家の端末に対して誘導通知を送信するものであるとしてもよい。
【０１１４】
これによれば、各電力需要家のうち、時間帯別の使用電力量の変更を行うモチベーションの高い者を選び出して誘導通知を送信することが可能となり、ひいては、バスケット内の電力需要家間で上述の差異を解消する効率が高まっていくことにつながる。これにより、該当バスケット全体の電力使用傾向が時間帯別電力使用基準値に精度良くマッチして、各電力需要家は、ショッピング代金や電力料金などに充当出来るインセンティブをより得やすくなり、更に効率的な電力料金低減が可能となる。
【０１１５】
また、本実施形態の電力使用最適化支援システムにおいて、前記演算装置は、前記第３処理の後、前記バスケットが含む各電力需要家における使用電力量の値を、前記電力量計から取得して記憶装置に格納すると共に、前記時間帯別電力使用基準値が規定する時間帯毎に集計して、当該集計値と前記時間帯別電力使用基準値との差異を算定し、当該差異の大きさに応じて、前記第１処理、前記第２処理、および前記第３処理のいずれかから処理を再実行するものであるとしてもよい。
【０１１６】
これによれば、第３処理によっても上述の差異が所定基準以下にならず、例えば、その差異がある基準より一定程度以上に大きい場合、第２処理や第３処理を再実行するよりも、第１処理すなわちバスケットの再生成から行って、根本的に電力需要家選びから見直すことが可能となる。また、上述の差異がある基準より一定程度だけ大きい場合、第３処理を再実行するよりも、第２処理すなわちバスケットが含む電力需要家の増減を行って、差異解消を図ることが可能となる。或いは、上述の差異がある基準より一定程度以下だけ大きい場合、第３処理を再実行して使用電力量の微修正を促し、差異解消を効率的に図ることが可能となる。
【０１１７】
また、本実施形態の電力使用最適化支援システムにおいて、前記演算装置は、前記第１処理において、 時間帯別電力使用基準値が規定する各時間帯について、前記特定した電力需要家の電力料金プランを適用した仮想料金プランの情報を生成して記憶装置に格納すると共に、当該仮想料金プランの情報を、該当バスケットに含まれる各電力需要家の端末に送信する処理を更に実行するものである、としてもよい。
【０１１８】
これによれば、各需要家は、同じバスケットに投入されている他需要家の契約プランのうち、もっともお得なプランを各時間帯毎に設定した仮想的な料金プランを、あたかも該当需要家が契約した如く認識出来る。この場合、需要家に対する実請求額は従前通りであるが、仮想料金プランでの「お得」な料金プランに誘導されて、電力事業者の希望する使用傾向（例：夜間にシフト）に貢献した分について割引等のインセンティブが提供されるため、上述の仮想料金プランが示す内容での料金負担となる。従って、バスケット内の電力需要家間で上述の差異を解消する効率が更に高まっていくことにつながる。
【０１１９】
また、本実施形態の電力使用最適化支援システムにおいて、前記記憶装置は、各需要家におけるメンバー構成に関する特徴を格納した需要家情報と、季節と需要家属性との対応関係に応じた、前記仮想料金プランにおける所定時間帯の開始ないし終了の時刻の調整幅を規定した季節調整情報と、を更に保持しており、前記演算装置は、前記第１処理において、時間帯別電力使用基準値が規定する各時間帯について、前記特定した電力需要家の電力料金プランを適用した仮想料金プランの情報を生成するに際し、該当バスケットに含まれる各電力需要家の特徴を前記需要家情報から特定し、当該需要家の特徴と現季節とを前記季節調整情報に照合して、仮想料金プランにおける所定時間帯の開始ないし終了の時刻の調整幅を特定し、当該調整幅に基づいて、仮想料金プランにおける所定時間帯の開始ないし終了の時刻を調整する処理を更に実行するものである、としてもよい。
【０１２０】
これによれば、季節的な電力需要の特性を踏まえて上述の差異を解消すべく調整され、他の季節とは所定時間帯の開始ないし終了の時刻が異なる「お得」な料金プランに誘導されて、電力事業者の希望する使用傾向（例：より夜間側にシフト）に貢献した分について割引等のインセンティブが提供されるため、上述の差異を解消する効率が更に高まっていくことにつながる。
【符号の説明】
【０１２１】
１  系統電源
１０  需要家施設
１１  分電盤
１２  電力量計
１５  電気設備
５０  ネットワーク
１００  電力使用最適化支援システム
１０１  記憶装置
１０２  プログラム
１０３  メモリ
１０４  演算装置
１０５  入力装置
１０６  出力装置
１０７  通信装置
１１１  第１処理部
１１２  第２処理部
１１３  第３処理部
１１４  第４処理部
１２５  料金プランデータベース
１２６  契約情報データベース
１２７  使用履歴データベース
１２８  インセンティブデータベース
１２９  対応履歴データベース
１３０  バスケットデータベース
１３１  仮想料金プランデータベース
１３２  需要家情報データベース
１３３  季節調整情報データベース
２００  需要家端末
２０１  記憶装置
２０２  プログラム
２０３  メモリ
２０４  演算装置
２０５  入力装置
２０６  出力装置
２０７  通信装置
２１０  アプリ
３００  電力事業者端末
３０１  記憶装置
３０２  プログラム
３０３  メモリ
３０４  演算装置
３０５  入力装置
３０６  出力装置
３０７  通信装置
３２５  基準データ（時間帯別電力使用基準値）
３２６  インセンティブデータ
【要約】      （修正有）【課題】様々な形態が想定される好適な電力使用形態を精度良く効率的に達成し、発電コストや電力料金を低減する。【解決手段】電力使用最適化支援システム１００は、時間帯別電力使用基準値が規定する各時間帯について、単位使用料金に所定特徴を有する電力料金プランで契約を行っている所定数の電力需要家を特定し、電力需要家の情報を纏めたバスケットを生成して記憶装置１０１に格納する第１処理部１１１と、バスケットが含む各電力需要家における使用電力量の値を時間帯毎に集計して時間帯別電力使用基準値との差異を算定し、差異が所定基準以上である場合、新たな電力需要家を特定してバスケットに加えるか又はバスケットから電力需要家を除外する第２処理部１１２と、差異への関与度をバスケットにおける電力需要家毎に算定し、関与度に応じた時間帯別の使用電力量の変更を勧める誘導通知を該当電力需要家の端末に送信する第３処理部１１３とを含む。【選択図】図２【図１】
0005613800.tif 000002
【図２】
0005613800.tif 000003
【図３】
0005613800.tif 000004
【図４】
0005613800.tif 000005
【図５】
0005613800.tif 000006
【図６】
0005613800.tif 000007
【図７】
0005613800.tif 000008
【図８】
0005613800.tif 000009
【図９】
0005613800.tif 000010
【図１０】
0005613800.tif 000011
【図１１】
0005613800.tif 000012
【図１２】
0005613800.tif 000013
【図１３】
0005613800.tif 000014
【図１４】
0005613800.tif 000015
【図１５】
0005613800.tif 000016
【図１６】
0005613800.tif 000017
【図１７】
0005613800.tif 000018
【図１８】
0005613800.tif 000019
【図１９】
0005613800.tif 000020
【図２０】
0005613800.tif 000021
【図２１】
0005613800.tif 000022